(57)【要約】【課題】振動レンチを提供する。【解決手段】中空空洞を含むケースと、ケースの一端に設けられる駆動ヘッドと、内壁と、中空空洞に連通する収納空間と、を含み、ケースの他端に設けられるハンドルと、振動モータと、振動モータの外面に完全に接続され又は部分的に接続され、ハンドルの内壁が完全に接続され又は部分的に接続される媒体部材と、を含み、ハンドルの収納空間内に設けられる振動構造と、を備える振動レンチ。上記配置によると、振動モータの与える振動が媒体部材を介してハンドルに効果的に伝達されることができ、これにより、振動レンチの振動効果の向上に有利である。【選択図】図２
2020116733.tif 000002
【特許請求の範囲】
【請求項１】
中空空洞を含むケースと、
前記ケースの一端に設けられる駆動ヘッドと、
内壁と、前記中空空洞に連通する収納空間と、を含み、前記ケースの他端に設けられるハンドルと、
振動モータと、前記振動モータの外面に完全に接続され又は部分的に接続され、前記ハンドルの前記内壁が完全に接続され又は部分的に接続される媒体部材と、を含み、前記ハンドルの前記収納空間内に設けられる振動構造と、
を備える振動レンチ。
【請求項２】
前記媒体部材は、
その内に前記振動モータが設けられる収納孔を含む請求項１に記載の振動レンチ。
【請求項３】
前記収納孔は、円形又は多角形となる請求項２に記載の振動レンチ。
【請求項４】
前記媒体部材は、
前記媒体部材の内面に設けられ、前記振動モータの前記外面に接続される複数の内凸部を更に含む請求項２に記載の振動レンチ。
【請求項５】
前記媒体部材は、円形又は多角形となる請求項１に記載の振動レンチ。
【請求項６】
前記媒体部材は、
前記媒体部材の外面に設けられ、前記ハンドルの前記内壁に接続される複数の外凸部を更に含む請求項１に記載の振動レンチ。
【請求項７】
前記ケースの外面に設けられる表示ユニットと、
前記ケースの前記外面に設けられる制御装置と、
を更に備える請求項１に記載の振動レンチ。
【請求項８】
前記制御装置は、
前記駆動ヘッド、前記表示ユニット及び前記振動モータに電気的に接続される制御回路を含む請求項７に記載の振動レンチ。
【発明の詳細な説明】
【技術分野】
【０００１】
本発明は、振動レンチに関し、特に、振動効果を向上可能な振動レンチに関する。
【背景技術】
【０００２】
騒がしい環境において使用者に警告作用を与えるために、振動モータが装着されて振動警告を与える振動レンチが市販されている。しかしながら、従来の振動レンチは、中間媒体がないので、振動モータの振動力が散逸しやすく、振動力を使用者に効果的に伝えることはできない。なお、使用者は、一般的に、厚い手袋をはめ、更に、振動レンチの振動モータの振動警告を感知することはできない。
【発明の概要】
【発明が解決しようとする課題】
【０００３】
これに鑑みて、如何に振動レンチの振動効果を向上させ、使用者を効果的に注意させるかは、関連業者が共同で努力する目標となっている。
【課題を解決するための手段】
【０００４】
本発明は、媒体部材の設置によると、振動モータの与える振動が媒体部材を介してハンドルに効果的に伝達されることができ、これにより、振動レンチの振動効果の向上に有利である振動レンチを提供する。
【０００５】
本発明の一態様によると、中空空洞を含むケースと、ケースの一端に設けられる駆動ヘッドと、内壁と、中空空洞に連通する収納空間と、を含み、ケースの他端に設けられるハンドルと、振動モータと、振動モータの外面に完全に接続され又は部分的に接続され、ハンドルの内壁が完全に接続され又は部分的に接続される媒体部材と、を含み、ハンドルの収納空間内に設けられる振動構造と、を備える振動レンチが提供される。
【０００６】
前記態様の振動レンチによると、媒体部材は、その内に振動モータが設けられる収納孔を含んでよい。
【０００７】
前記態様の振動レンチによると、収納孔は、円形又は多角形となってよい。
【０００８】
前記態様の振動レンチによると、媒体部材は、媒体部材の内面に設けられ、振動モータの外面に接続される複数の内凸部を更に含んでよい。
【０００９】
前記態様の振動レンチによると、媒体部材は、円形又は多角形となってよい。
【００１０】
前記態様の振動レンチによると、媒体部材は、媒体部材の外面に設けられ、ハンドルの内壁に接続される複数の外凸部を更に含んでよい。
【００１１】
前記態様の振動レンチによると、ケースの外面に設けられる表示ユニットと、ケースの外面に設けられる制御装置と、を更に備えてよい。
【００１２】
前記態様の振動レンチによると、制御装置は、駆動ヘッド、表示ユニット及び振動モータに電気的に接続される制御回路を含んでよい。
【図面の簡単な説明】
【００１３】
【図１】本発明の一実施形態による振動レンチを示す斜視図である。
【図２】図１の実施形態による振動レンチを示す断面模式図である。
【図３Ａ】図１の実施形態における第１の実施例による振動レンチの振動構造を示す模式図である。
【図３Ｂ】図１の実施形態における第２の実施例による振動レンチの振動構造を示す模式図である。
【図３Ｃ】図１の実施形態における第３の実施例による振動レンチの振動構造を示す模式図である。
【図３Ｄ】図１の実施形態における第４の実施例による振動レンチの振動構造を示す模式図である。
【図３Ｅ】図１の実施形態における第５の実施例に係る振動レンチの振動構造を示す模式図である。
【図３Ｆ】図１の実施形態における第６の実施例による振動レンチの振動構造を示す模式図である。
【図３Ｇ】図１の実施形態における第７の実施例による振動レンチの振動構造を示す模式図である。
【図３Ｈ】図１の実施形態における第８の実施例による振動レンチの振動構造を示す模式図である。
【図３Ｉ】図１の実施形態における第９の実施例による振動レンチの振動構造を示す模式図である。
【図４Ａ】図１の実施形態における一実施例による振動レンチを断面線Ａ-Ａに沿って示す断面図である。
【図４Ｂ】図１の実施形態における別の実施例による振動レンチを断面線Ａ-Ａに沿って示す断面図である。
【図４Ｃ】図１の実施形態におけるまた１つの実施例による振動レンチを断面線Ａ-Ａに沿って示す断面図である。
【図５Ａ】本発明の別の実施形態による振動レンチを示す断面模式図である。
【図５Ｂ】図５Ａの実施形態による振動レンチを示す断面図である。
【図６】図１の実施形態による振動レンチを示すブロック図である。
【発明を実施するための形態】
【００１４】
以下、図面を参照して本発明の実施例を説明する。明確に説明するために、多くの実際的な細部を下記叙述で合わせて説明する。しかしながら、理解すべきなのは、これらの実際的な細部は本発明を限定するためのものではない。つまり、本発明の実施形態の一部において、これらの実際的な細部は必要なものではない。また、図面を簡略化するために、ある従来慣用の構造及び素子は、図面において簡単で模式的に示される。また、繰り返した素子は、同じ番号又は類似な番号で表すことがある。
【００１５】
図１及び図２を参照されたく、図１は本発明の一実施形態による振動レンチ１００を示す斜視図であり、図２は図１の実施形態による振動レンチ１００を示す断面模式図である。振動レンチ１００は、ケース１１０と、駆動ヘッド１２０と、ハンドル１３０と、振動構造１４０と、を備える。駆動ヘッド１２０がケース１１０の一端に設けられ、ハンドル１３０がケース１１０の他端に設けられ、振動構造１４０がハンドル１３０内に設けられる。
【００１６】
詳しくは、ケース１１０は中空空洞１１１を含み、ハンドル１３０は収納空間１３１及び内壁１３２を含み、収納空間１３１が中空空洞１１１に連通する。振動構造１４０は、ハンドル１３０の収納空間１３１内に設けられ、振動モータ１４１及び媒体部材１４２を含む。媒体部材１４２が振動モータ１４１の外面に設けられ、ハンドル１３０の内壁１３２が媒体部材１４２を取り囲み、且つ媒体部材１４２の外面がハンドル１３０の内壁１３２に接続される。つまり、振動モータ１４１が媒体部材１４２内に設けられ、且つ媒体部材１４２がハンドル１３０の収納空間１３１内に設けられる。これにより、振動モータ１４１は、駆動されると、その与える振動が媒体部材１４２を介してハンドル１３０に効果的に伝達される。
【００１７】
図３Ａ〜図３Ｉを参照されたく、図３Ａは図１の実施形態における第１の実施例による振動レンチ１００の振動構造１４０を示す模式図であり、図３Ｂは図１の実施形態における第２の実施例による振動レンチ１００の振動構造１４０を示す模式図であり、図３Ｃは図１の実施形態における第３の実施例による振動レンチ１００の振動構造１４０を示す模式図であり、図３Ｄは図１の実施形態における第４の実施例による振動レンチ１００の振動構造１４０を示す模式図であり、図３Ｅは図１の実施形態における第５の実施例に係る振動レンチ１００の振動構造１４０を示す模式図であり、図３Ｆは図１の実施形態における第６の実施例による振動レンチ１００の振動構造１４０を示す模式図であり、図３Ｇは図１の実施形態における第７の実施例による振動レンチ１００の振動構造１４０を示す模式図であり、図３Ｈは図１の実施形態における第８の実施例による振動レンチ１００の振動構造１４０を示す模式図であり、図３Ｉは図１の実施形態における第９の実施例による振動レンチ１００の振動構造１４０を示す模式図である。
【００１８】
図３Ａ〜図３Ｉの実施例から分かるように、媒体部材１４２は、収納孔１４３を含んでよく、振動モータ１４１は、媒体部材１４２の収納孔１４３内に設けられてよく、且つその外面が媒体部材１４２の内面に接続される。上記配置によると、振動モータ１４１の外面が媒体部材１４２の内面に直接接触し、且つ媒体部材１４２の外面がハンドル１３０の内壁１３２に直接接触する。つまり、振動モータ１４１は、媒体部材１４２によって振動をハンドル１３０に伝達することができ、その発生した振動が振動モータ１４１と媒体部材１４２との直接接触領域及び媒体部材１４２の外面とハンドル１３０の内壁１３２との直接接触領域によってハンドル１３０に完全に伝達されることができる。これにより、振動構造１４０は、脱落のリスクを避けるために、ハンドル１３０内により確実に設けられることができ、且つ振動レンチ１００の振動効果を更に向上させることができる。
【００１９】
収納孔１４３は、円形、又は、三角形、四角形や六角形のような多角形となってよいが、本発明はこれに限定されない。収納孔１４３は、図３Ａ〜図３Ｅの実施例において、円形となり、図３Ｈの実施例において、三角形となり、図３Ｉの実施例において、六角形となるが、本発明はこの開示内容に限定されない。収納孔１４３が円形となる場合、振動モータ１４１は、媒体部材１４２に完全に接続されてよく、その外面が媒体部材１４２の内面に直接接触されるので、その与える振動が媒体部材１４２に完全に伝達されることができる。収納孔１４３が多角形となる場合、振動モータ１４１は、媒体部材１４２に部分的に接続され、その与える振動が振動モータ１４１と媒体部材１４２との直接接触領域によって媒体部材１４２に部分的に伝達されることができる。
【００２０】
図３Ａ〜図３Ｅを更に参照されたく、媒体部材１４２によって振動モータ１４１に完全に接続されて、媒体部材１４２と振動モータ１４１との接触面積を増加させることができる。これにより、振動モータ１４１は、媒体部材１４２の収納孔１４３内により確実に接続されて、振動モータ１４１の脱落のリスクを避け、振動レンチ１００の振動効果を向上させることができる。
【００２１】
図３Ｆ及び図３Ｇを更に参照されたく、媒体部材１４２は、複数の内凸部１４４を更に含んでよく、内凸部１４４は４個又は１５個であってよいが、本発明はこれに限定されない。内凸部１４４は、図３Ｆの実施例において、１５個であってよく、図３Ｇの実施例において、４個であってよいが、本発明はこの開示内容に限定されない。内凸部１４４は、媒体部材１４２の内面に設けられ、振動モータ１４１の外面に接続される。これにより、振動モータ１４１は、媒体部材１４２に部分的に接続され、その発生した振動が振動モータ１４１の外面と媒体部材１４２の内面との直接接触領域を介して部分的に伝達されることができる。また、媒体部材１４２が振動モータ１４１に部分的に接続される場合、媒体部材１４２と振動モータ１４１との間に第１の溝１４６（図４Ｂに示すように）が形成され、第１の溝１４６が振動モータ１４１と媒体部材１４２との間に位置する。
【００２２】
媒体部材１４２は、円形、又は、三角形、四角形や六角形のような多角形となって振動モータ１４１の外面を取り囲んでよいが、本発明はこの開示内容に限定されない。図３Ａ及び図３Ｆ〜図３Ｉの実施例において、媒体部材１４２は、円形となる。図３Ｂの実施例において、媒体部材１４２は、三角形となる。図３Ｃの実施例において、媒体部材１４２は、六角形となる。これにより、媒体部材１４２は、ハンドル１３０の内壁１３２に完全に接続され又は部分的に接続されて、振動レンチ１００の振動効果を向上させることができる。
【００２３】
媒体部材１４２がハンドル１３０の内壁１３２に完全に接続される場合、媒体部材１４２とハンドル１３０の内壁１３２との接触面積を向上させることができ、且つ振動構造１４０がハンドル１３０の収納空間１３１内により確実に設けられることができる。これにより、振動構造１４０の脱落のリスクを低下させることができ、且つ振動レンチ１００の振動効果の向上に寄与する。
【００２４】
媒体部材１４２は、複数の外凸部１４５を更に含んでよく、外凸部１４５は４個又は１５個であってよいが、本発明はこれに限定されない。外凸部１４５は、図３Ｄの実施例において、１５個であり、図３Ｅの実施例において、４個であるが、本発明はこの開示内容に限定されない。外凸部１４５は、媒体部材１４２の外面に設けられ、ハンドル１３０の内壁１３２に接続される。媒体部材１４２がハンドル１３０の内壁１３２に部分的に接続され、これにより、振動モータ１４１は、媒体部材１４２の外凸部１４５とハンドル１３０の内壁１３２との直接接触領域を介して、その与える振動がハンドル１３０に部分的に伝達されることができる。また、媒体部材１４２がハンドル１３０の内壁１３２に部分的に接続される場合、媒体部材１４２とハンドル１３０の内壁１３２との間に第２の溝１４７（図４Ａに示すように）が形成され、第２の溝１４７が媒体部材１４２とハンドル１３０の内壁１３２との間に位置する。第２の溝１４７の設置は、振動構造１４０の収納空間１３１に対する取り付けや取り換えに寄与する。
【００２５】
図４Ａ、図４Ｂ及び図４Ｃを参照されたく、図４Ａは図１の実施形態における一実施例による振動レンチ１００を断面線Ａ-Ａに沿って示す断面図であり、図４Ｂは図１の実施形態における別の実施例による振動レンチ１００を断面線Ａ-Ａに沿って示す断面図であり、図４Ｃは図１の実施形態におけるまた１つの実施例による振動レンチ１００を断面線Ａ-Ａに沿って示す断面図である。図２及び図３Ａから分かるように、媒体部材１４２が円形であり且つハンドル１３０の内壁１３２に完全に接続され、且つ振動モータ１４１が媒体部材１４２に完全に接続されてよいので、振動構造１４０は、ハンドル１３０の収納空間１３１内により確実に固定されることができ、振動構造１４０の脱離を避けることに寄与する。なお、振動モータ１４１の与える振動がハンドル１３０に完全に伝達されて、振動レンチ１００の振動効果を向上させることができる。
【００２６】
図４Ａの実施例において、媒体部材１４２は外凸部１４５を含み、且つ収納孔１４３は円形であり、振動モータ１４１は円形であり、媒体部材１４２がハンドル１３０の内壁１３２に部分的に接続され、第２の溝１４７がハンドル１３０の内壁１３２と媒体部材１４２との間に形成される。第２の溝１４７の設置により、振動モータ１４１の収納空間１３１に対する取り付けや取り換えに寄与することができる。振動モータ１４１の脱落を避けるように、振動モータ１４１が媒体部材１４２に完全に接続される。これにより、振動モータ１４１の外面と媒体部材１４２の内面との間の接触領域及び媒体部材１４２の外凸部１４５とハンドル１３０の内壁１３２との間の接触領域によって、振動モータ１４１の与える振動をハンドル１３０に伝達して、振動レンチ１００の振動効果を更に向上させることができる。
【００２７】
図４Ｂにおいて、媒体部材１４２は内凸部１４４を含み、且つ振動モータ１４１は円形であり且つ媒体部材１４２に部分的に接続され、第１の溝１４６が振動モータ１４１と媒体部材１４２との間に形成される。振動構造１４０の脱落のリスクを低減させるように、媒体部材１４２は、ハンドル１３０の内壁１３２に完全に接続される。これにより、振動構造１４０はハンドル１３０内により確実に固定されることができ、且つ振動モータ１４１の外面と媒体部材１４２の内凸部１４４との直接接触領域及び媒体部材１４２の外面とハンドル１３０の内壁１３２との直接接触領域によって、振動モータ１４１の与える振動がハンドル１３０に伝達されて、振動レンチ１００の振動効果を更に向上させることができる。
【００２８】
図４Ｃの実施例において、媒体部材１４２は、内凸部１４４及び外凸部１４５を含む。媒体部材１４２がハンドル１３０の内壁１３２に部分的に接続され、第２の溝１４７がハンドル１３０の内壁１３２と媒体部材１４２との間に形成され、これにより、振動構造１４０の収納空間１３１に対する取り付けや取り換えに寄与することができる。振動モータ１４１は、媒体部材１４２に部分的に接続されて、第１の溝１４６を形成する。これにより、振動モータ１４１の与える振動は、振動モータ１４１の外面と媒体部材１４２の内凸部１４４との間の直接接触領域及び媒体部材１４２の外凸部１４５とハンドル１３０の内壁１３２との間の直接接触領域を介してハンドル１３０に均一に部分的に伝達されて、振動レンチ１００の振動効果を向上させることができる。
【００２９】
図５Ａ及び図５Ｂを参照されたく、図５Ａは本発明の別の実施形態による振動レンチ１００を示す断面模式図であり、図５Ｂは図５Ａの実施形態による振動レンチ１００を示す断面図である。図１及び図２に合わせて参照すると、図５Ａの振動レンチ１００は、その振動構造１４０の設置方向が同じではなく、つまり、振動構造１４０が収納空間１３１内に縦方向に設けられてもよいし（図５Ａに示すように）、収納空間１３１内に横方向に設けられてもよい（図２に示すように）ことに、図２の振動レンチ１００と異なっている。図２の実施形態において、振動構造１４０は、収納空間１３１内に横方向に設けられる。図５Ａ及び図５Ｂの実施形態において、振動構造１４０は、収納空間１３１内に縦方向に設けられる。詳しくは、振動レンチ１００は、軸方向Ｘを有し、且つ振動モータ１４１は、その一端に設けられる慣性部材１４１ａを含む。図２において、振動モータ１４１の慣性部材１４１ａは、軸方向Ｘに沿って設けられて、振動構造１４０の設置方向を横方向にする。図５Ａ及び図５Ｂにおいて、振動モータ１４１の慣性部材１４１ａがハンドル１３０の内壁１３２に向かって設けられて、振動構造１４０の設置方向を縦方向にする。
【００３０】
上記のように、振動構造１４０は、収納空間１３１内により確実に設けられ、振動モータ１４１の与える振動が媒体部材１４２によってハンドル１３０に伝達されることができ、これにより、振動レンチ１００の振動効果の向上に有利である。
【００３１】
図１の実施形態による振動レンチ１００を示すブロック図である図６を参照されたい。図１、図２及び図５Ａを更に参照されたく、振動レンチ１００は、表示ユニット１１２及び制御装置１１３を更に備えてよい。表示ユニット１１２はケース１１０の外面に設けられ、制御装置１１３はケース１１０の外面に設けられる。制御装置１１３は、ボタン１１３１及び制御回路１１３２を含んでよく、ボタン１１３１が制御回路１１３２に電気的に接続される。また、制御回路１１３２は、駆動ヘッド１２０、表示ユニット１１２及び振動モータ１４１に電気的に接続される。これにより、使用者は、ボタン１１３１によって振動レンチ１００の警告条件又は振動モータ１４１の振動頻度を設定することができ、警告条件は振動レンチ１００のモーメント又は角度であってよいが、本発明はこれに限定されない。表示ユニット１１２は、振動レンチ１００の作業状態を表示することができる。これにより、振動レンチ１００が警告条件に達すると、制御回路１１３２は、使用者を注意させるように、振動モータ１４１を駆動させる。
【００３２】
本発明では実施例を前記の通り開示したが、これらは本発明を限定するものではなく、当業者であれば、本発明の精神と領域を離脱しない範囲内で、多様の変動や修正を加えることができ、従って本発明の保護範囲は、特許請求の範囲で指定した内容を基準とする。
【符号の説明】
【００３３】
１００  振動レンチ
１１０  ケース
１１１  中空空洞
１１２  表示ユニット
１１３  制御装置
１１３１  ボタン
１１３２  制御回路
１２０  駆動ヘッド
１３０  ハンドル
１３１  収納空間
１３２  内壁
１４０  振動構造
１４１  振動モータ
１４１ａ  慣性部材
１４２  媒体部材
１４３  収納孔
１４４  内凸部
１４５  外凸部
１４６  第１の溝
１４７  第２の溝
Ｘ  軸方向
【図１】
2020116733.tif 000003
【図２】
2020116733.tif 000004
【図３Ａ】
2020116733.tif 000005
【図３Ｂ】
2020116733.tif 000006
【図３Ｃ】
2020116733.tif 000007
【図３Ｄ】
2020116733.tif 000008
【図３Ｅ】
2020116733.tif 000009
【図３Ｆ】
2020116733.tif 000010
【図３Ｇ】
2020116733.tif 000011
【図３Ｈ】
2020116733.tif 000012
【図３Ｉ】
2020116733.tif 000013
【図４Ａ】
2020116733.tif 000014
【図４Ｂ】
2020116733.tif 000015
【図４Ｃ】
2020116733.tif 000016
【図５Ａ】
2020116733.tif 000017
【図５Ｂ】
2020116733.tif 000018
【図６】
2020116733.tif 000019